(57)【要約】      （修正有）【課題】視野制限及び視認性が向上された覗き見防止シートを提供する。【解決手段】第一ルーバー層１２と、第二ルーバー層１３と、入射光を指向するプリズム層１１とを含む、覗き見防止シートであって、該第一ルーバー層１２と第二ルーバー層１３は、それぞれ、所定の間隔をおいて互いに平行に延在する複数のルーバーを含み、第一ルーバー層１２のルーバーの延在方向と、第二ルーバー層１３のルーバーの延在方向とが交差しており、プリズム層１１は互いに平行に延在する複数のプリズム素子を含む、覗き見防止シート。【選択図】図９
2007279424.tif 000002
【特許請求の範囲】
【請求項１】
第一ルーバー層と、第二ルーバー層と、入射光を指向するプリズム層とを含む、覗き見防止シートであって、該第一ルーバー層と第二ルーバー層は、それぞれ、所定の間隔をおいて互いに平行に延在する複数のルーバーを含み、第一ルーバー層のルーバーの延在方向と、第二ルーバー層のルーバーの延在方向とが交差しており、該プリズム層は互いに平行に延在する複数のプリズム素子を含む、覗き見防止シート。
【請求項２】
前記プリズム層は、シートに対して垂直方向に入射した光を１５°〜２５°傾けて出射する、請求項１記載の覗き見防止シート。
【請求項３】
前記第一ルーバー層のルーバー及び前記第二ルーバー層のルーバーの延在方向が、シートの水平方向及び垂直方向からずれている、請求項１又は２記載の覗き見防止シート。
【請求項４】
前記覗き見防止シートのおもて面又は裏面に凹凸が設けられている、請求項１〜３のいずれか１項記載の覗き見防止シート。
【請求項５】
請求項１〜４のいずれか１項記載の覗き見防止シートを含むディスプレイ装置。
【請求項６】
バックライト、液晶ディスプレイセル、覗き見防止シート、タッチパネルの順に配置された、請求項５記載のディスプレイ装置。
【請求項７】
バックライト、液晶ディスプレイセル、タッチパネル、覗き見防止シートの順に配置された、請求項５記載のディスプレイ装置。
【請求項８】
バックライト、覗き見防止シート、液晶ディスプレイセル、タッチパネルの順に配置された、請求項５記載のディスプレイ装置。
【発明の詳細な説明】
【技術分野】
【０００１】
本発明は覗き見防止シート及びそれを含むディスプレイ装置に関する。本発明はより詳細には、使用者に対してのみ限定的に画像を高い輝度で視認させうる、覗き見防止シート及びディスプレイ装置に関する。
【背景技術】
【０００２】
パーソナルコンピュータ（パソコン；ＰＣ）、携帯端末、無人顧客応対装置（銀行のＡＴＭ（オートテラーマシン）や、駅の券売機等）等では、使用者に情報を提供するために画像を表示する必要がある。この様な画像は、通常、ディスプレイ装置を用いて表示される。この様なディスプレイ装置は、通常、ディスプレイと、そのディスプレイの光出射面（ディスプレイ画面）を被覆する様に配置された光透過性パネルとを備えた複合ユニット、すなわちディスプレイユニットを必須構成要素として含む。光透過性パネルは、ディスプレイの光出射面と面する裏面と、その裏面と対向する表面であって、操作者（使用者）が接触可能な表面とを有する。操作者は、光透過性パネルを通して表示画像を見ることができる。
【０００３】
光透過性パネルとしては、ディスプレイ画面を保護するために用いられる透明保護パネルや、接触スイッチ機能を有するタッチパネルが使用されている。光透過性パネルがタッチパネルである場合、使用者が指等で直接的に、または接触用ペン等の器具を介して間接的に接触することによりスイッチが働く機能（すなわち、ＯＮ−ＯＦＦ機能）を、ディスプレイユニット自体に持たせることができる。
【０００４】
ディスプレイは、たとえば、液晶ディスプレイ（液晶表示装置とも呼ばれる。）である。液晶ディスプレイは、通常、液晶ディスプレイパネル（以降、「液晶パネル」と呼ぶこともある。）と、液晶パネルの背面（表示面の反対側の面）から照明するための光源（すなわち、バックライト）とを備えている。液晶パネルは、第１及び第２の、２つの偏光板と、それらの間に挟まれた液晶層を備えている。２つの偏光板は、第１偏光板の偏光軸（第１偏光軸）と、第２偏光板の偏光軸（第２偏光軸）とが互いに所定の角度を成す、例えば直交する様に配置される。バックライトは、たとえば、導光板と、その導光板の側面から導光板内に光を供給する光源とを備えている、いわゆるエッジライト型バックライトである。
【０００５】
これらのバックライト照明は、照明光が比較的広角度に広がる様に液晶パネル背面を照明し、液晶パネルを透過した光は表示面の正面方向から離れた方向（側面方向）にも出射する。たとえば、カーナビゲーションシステムなどの車載表示装置の画面から出射される光が、フロントウインドウ方向（縦方向）、そしてサイドウインドウ方向（横方向）に出射すると、運転者の視界を邪魔することになる。したがって、このような広角に出射される光を制御することが望まれる。特許文献１（特開２００４−１０９６１５号公報）は、互いに接着された第一ルーバー層と第二ルーバー層とを備えたルーバーフィルムであって、第一ルーバー層と第二ルーバー層は、それぞれ、所定の間隔をおいて互いに平行に延在する複数のルーバーを含み、第一ルーバー層のルーバーの延在方向と、第二ルーバー層のルーバーの延在方向とが交差しているルーバーフィルムを開示している。このようなフィルムはディスプレイ装置において出射する光の角度を制限し、狭角での出射を可能にしている。しかし、このようなルーバーフィルムは、ほぼ全方向（全出射角度方向）にわたって光の出射方向を制限することになり、ディスプレイ装置の画面に対して垂直方向からは良好に観察できるが、斜め方向からは見えにくくなる。たとえば、無人顧客応対装置（銀行のＡＴＭや、駅の券売機等）等の比較的に水平方向に近い角度で表示画面が設置されたディスプレイ装置では、側方向又は後方からの覗き見を防止する一定の効果を発揮することができるが、操作者からも画面が見にくくなることがある。
【０００６】
一方、特許文献２（特表２００３−５１３３０６号公報）は光変調層と、偏光子と、プリズム構造体を含む光指向性フィルムを備えたディスプレイ装置を開示している。このディスプレイ装置により、ディスプレイに最適な観測角をグレア角からオフセットすることができる。このディスプレイ装置を無人顧客応対装置に応用すると、操作者からの視認性は向上するが、覗き見を防止することはできない。
【０００７】
また、最近では、無人顧客応対装置にビデオカメラを設置するなどして、顧客の暗証番号（PIN :personal identification number）を盗視するケースがあり、ディスプレイ装置に設置可能な防犯用装置が望まれている。
【０００８】
【特許文献１】特開２００４−１０９６１５号公報
【特許文献２】特表２００３−５１３３０６号公報
【発明の開示】
【発明が解決しようとする課題】
【０００９】
本発明は、従来の技術と比較して、視野制限及び視認性が向上された覗き見防止シート及びそれを含むディスプレイ装置を提供することを目的とする。
【課題を解決するための手段】
【００１０】
本発明は、１つの態様において、第一ルーバー層と、第二ルーバー層と、入射光を指向するプリズム層とを含む、覗き見防止シートであって、該第一ルーバー層と第二ルーバー層は、それぞれ、所定の間隔をおいて互いに平行に延在する複数のルーバーを含み、第一ルーバー層のルーバーの延在方向と、第二ルーバー層のルーバーの延在方向とが交差しており、該プリズム層は互いに平行に延在する複数のプリズム素子を含む、覗き見防止シートを提供する。
【００１１】
本発明は、別の態様において、バックライトと、上記覗き見防止シートと、液晶ディスプレイ（ＬＣＤ）と、タッチパネルとを含み、上記覗き見防止シートが、上記バックライトよりも上方に存在する、ディスプレイ装置を提供する。
【発明の効果】
【００１２】
本発明の覗き見防止シートを用いると、ディスプレイ装置の視野角度が狭くなるので、操作者以外からの覗き見を防止できる。また、操作者方向の輝度が高くなるので、操作者からの視認性が向上する。
【発明を実施するための最良の形態】
【００１３】
以下において、本発明をその好適な実施形態に基づいて説明する。まず、図面を参照しながら、本発明の概略を説明する。
図１は本発明の覗き見防止シートを設置していない場合のディスプレイ装置からの画像情報の視認範囲を表す模式図である。このディスプレイ装置（顧客応対装置）１では、視野範囲が広く、ディスプレイ装置１の操作者２の側方、前方及び後方のいずれからも覗き見することができる。図２は、第一ルーバー層のルーバーの延在方向と、第二ルーバー層のルーバーの延在方向とが交差している、２層のルーバー層を含む光学シートを設置した場合の視認範囲を表す模式図である。視野角度は狭くなり、一定の覗き見効果が得られるが、ディスプレイ装置の前方にも視認範囲が広がっており、ビデオカメラが装置の直立部又は前方壁面部に設置されると、盗視されうる。図３は本発明の覗き見防止シートを設置した場合の視認範囲を表す模式図である。視認範囲がディスプレイ装置１の操作者２に限定され、前方からの盗視を防止することができる。これにより、図４に示すように、ディスプレイ装置１の前面や前方壁面にビデオカメラ３を設置することにより入力情報を盗視する行為を防止することができる。
【００１４】
本発明の覗き見防止シートは、第一ルーバー層と、第二ルーバー層と、入射光を指向するプリズム層とを含む、覗き見防止シートであって、該第一ルーバー層と第二ルーバー層は、それぞれ、所定の間隔をおいて互いに平行に延在する複数のルーバーを含み、第一ルーバー層のルーバーの延在方向と、第二ルーバー層のルーバーの延在方向とが交差している。図５は、本発明の覗き見防止シートの１つの態様の断面図を示している。覗き見防止シート１は、プリズム層１１、第一ルーバー層１２及び第二ルーバー層１３を含み、第一ルーバー層１２及び第二ルーバー層１３は、透明性の高い接着剤層１４で接合されている。プリズム層１１はベース１５上に形成したプリズム素子としての鋸歯部１６を含む。複数のプリズム素子は互いに平行に延在し、図５の紙面に垂直な方向に三角柱の形態で存在する。プリズム層１１は接着剤層１７を介して、プリズム層１１の縁部に沿って第一ルーバー層１２と接合しており、それ以外の部分では、鋸歯部１６と、第一ルーバー層１２との間に空隙１８を形成している。
【００１５】
以下において、本発明の覗き見防止シートを構成する各々の要素について詳説する。
＜ルーバー層＞
本発明の覗き見防止シートは、第一ルーバー層と第二ルーバー層を含む。ルーバー層自体は公知である。ルーバー層は、その表面に平行な面内方向に沿って所定の間隔をおいて互いに平行に延在する、複数の微小なルーバー（または、ルーバー状エレメント、ルーバー要素とも呼ばれる。）を内部に有する。ルーバー層の内部に組み込まれた複数のルーバーが、ルーバー層を透過する光の進行方向を所定の出射角度範囲に制御する効果（方向制御効果）を発揮することができる。すなわち、ルーバーの延在方向を横切る方向に出射される光は、ルーバーに吸収または反射され、その方向への光の出射量を低く制御できる。したがって、側面方向への光の出射を効果的に防止することができる。
【００１６】
ルーバー層の構成、製造方法及び使用方法については、いくつかの先行文献に開示されている。たとえば、米国特許再発行第２７，６１７号公報に記載されるように、比較的低い光学濃度の（透明な）プラスチックと、比較的高い光学濃度の（着色した）プラスチックの交互層のビレットをそぐ（ｓｋｉｖｅ）ことによって、ルーバー層を形成することができる。ビレットをそいだときに、着色した層はルーバー状エレメントを与える。ルーバー状エレメントは、ルーバー層の平面上の特定の方向に延在している。また、ルーバー状エレメントは、ルーバー層の表面に対して直角に延びることも、ルーバー層の表面に対して傾斜させることもできる。ルーバー層はルーバー状エレメントの延在方向にほぼ垂直方向に出射しようとする光を吸収し、又は、反射することで、出射角度を抑制する。一方、ルーバー状エレメントの延在方向にほぼ平行な方向に出射される光に対しては、このような抑制効果を発揮しない。
【００１７】
ルーバー層の光透過部は、透明性の高いポリマーから形成されるのが好ましい。ポリマーとしては、熱可塑性樹脂、熱硬化性樹脂、光硬化性樹脂等が使用でき、たとえば、セルロースアセテートブチレート、トリアセチルセルロース等のセルロース系樹脂、ポリエチレン、ポリプロピレン等のポリオレフィン樹脂、ポリエチレンテレフタレート等のポリエステル樹脂、ポリスチレン、ポリウレタン、塩化ビニル、アクリル樹脂、ポリカーボネート樹脂等があげられる。
【００１８】
一方、ルーバー状エレメントは、光を吸収、あるいは反射できる遮光物質から形成する。この様な遮光物質としては、たとえば、（１）黒色、灰色等の暗色顔料や暗色染料、（２）アルミニウム、銀等の金属、（３）二酸化チタン等の白色の無機酸化物、（４）暗色の金属酸化物である。また、ルーバー状エレメントは、これら（１）〜（４）の物質を、前掲の透明性の高いポリマーに含有させたものからも形成できる。
【００１９】
上記の様なルーバー層は、次の様にして製造できる。まず、光透過部として用いるポリマーフィルムの一方の主面に、遮光物質を含む層を固定してルーバー状エレメントを形成し、ポリマーフィルム／遮光物質層からなる積層フィルムの組を作る。この様な組を複数用意し、それらの複数の組を積層し、ポリマーフィルム／遮光物質層とが交互に配列され、互いに固定されたルーバーフィルム前駆体を形成する。この様な前駆体を用い、前駆体の主面（積層面）と直交する方向（積層方向）に沿って所定の厚さになるようスライスし、ルーバー層を得ることができる。ルーバー層は、おもて面及び裏面の一方または両方を被覆するポリマー層（ルーバーを内部に含まない層）を備えていても良い。
【００２０】
本発明の覗き見防止シートでは、上述のようなルーバー層を２つ以上含むことで、光の出射方向をさらに抑制することができる。すなわち、第一ルーバー層と第二ルーバー層は、第一ルーバー層のルーバーの延在方向と、第二ルーバー層のルーバーの延在方向とが交差している。このため、第一ルーバー層のルーバーの延在方向にほぼ平行な方向に出射しようとする光を、第二のルーバー層のルーバーが出射を抑制することで全体として狭い角度に出射光を抑制することができる。
【００２１】
図６はルーバー層の１態様の断面図を示す。ルーバー層１２、１３は複数のルーバー（ルーバー状エレメント）１９を含み、図示のとおりに、可視角αに制限している。また、ルーバー層１２、１３のルーバー角βは９０°として図示しているが、若干傾斜させてもよい。図から判るとおり、可視角αはルーバー層のルーバーの厚さと、ルーバーのピッチによって決まる。可視角は、通常、ディスプレイ装置の縦方向に向かってルーバーが延在するルーバー層については、４０°〜７５°であり、好ましくは、４０°〜５６°である。また、可視角は、通常、ディスプレイ装置の横方向に向かってルーバーが延在するルーバー層については、４０°〜７５°であり、好ましくは、４０°〜５６°である。可視角が大きすぎると、十分な覗き見防止効果を発揮することができず、また、小さすぎると、操作者からも表示画面の端部が見えにくくなってしまうからである。ルーバー層のルーバーの厚さは、通常、４０〜５００μｍであり、ルーバー１９の幅は、通常、３〜５０μｍである。この場合、ルーバー１９の間の距離は上記の可視角を得るためには９〜２２９μｍである。好ましくは、ルーバー層の厚さは１５０〜３００μｍであり、ルーバー１９の幅は５〜１５μｍである。この場合、ルーバー１９の間の距離は上記の可視角を得るためには３６〜１３７μｍである。また、ルーバー角βは、ディスプレイ装置の縦方向に向かってルーバーが延在するルーバー層については、通常、８２°〜１０８°であり、好ましくは９０°である。ルーバー角が小さすぎ、又は、大きすぎる場合には、左右方向や斜め後方から覗き見されやすくなり、また、表示画面の輝度が低く、見えにくくなる。一方、ディスプレイ装置の横方向に向かってルーバーが延在するルーバー層については、通常、８４°〜１１４°であり、好ましくは９０°〜１００°である。ルーバー角が小さすぎると、背面側に設置された隠しカメラから画像情報を盗視されやすくなり、大きすぎる場合には、操作者側から表示画面が見えにくくなる。なお、ディスプレイ装置の横方向に向かってルーバーが延在するルーバー層についてのルーバー角βは、図６中の右側を表示画面の上側として配置した場合の角度として表記している。さらに、図７は第一ルーバー層と第二ルーバー層が交差した積層体の上面図を示している。第一ルーバーと第二ルーバー層のルーバーとの交差角度γは、通常、９０°±３０°であり、好ましくは、９０°±１０°であり、最も好ましくは、９０°である。６０°より小さい角度であると、背面側に設置された隠しカメラから画像情報を盗視されやすくなり、また、１２０°より大きい角度であると、左右方向や斜め後方から覗き見されやすくなる。なお、交差角度γは、図示のとおり、ディスプレイ装置の上側に向けて開いた角として表記される。
【００２２】
ルーバー層は、ルーバーを垂直方向（あるいは、場合により、垂直方向から若干傾斜していてもよい）に含む構造を有するので、反りやうねりを生じるやすい傾向にある。このため、ルーバー層の少なくとも片面には透明プラスチック層を配置することが好ましい。この透明プラスチック層は接着剤層を介してルーバー層に密着され、ルーバー層を損傷から保護する機能を有する。透明プラスチック層としては、ポリエステル（たとえば、ポリエチレンテレフタレート（ＰＥＴ）又はポリエチレンナフタレート（ＰＥＮ））、アクリル系ポリマー、塩化ビニル系ポリマー、ポリウレタンなどを用いることができる。透明プラスチック層の厚さは、限定するわけではないが、通常、２５〜２００μｍである。
【００２３】
ルーバー層には、市販のルーバーフィルムを用いてよく、たとえば、３Ｍ社製「商標：ライトコントロールフィルム」等を挙げることができる。
【００２４】
＜プリズム層＞
プリズム層は、ディスプレイ装置からの光を操作者の方に指向させることで、操作者には高い輝度の画像を視認させるとともに、さらに、操作者の前方からの覗き見をさらに効率的に防止するものである。
【００２５】
プリズム層は、最適観測角の指向性を達成することができるものであれば特に限定されない。図８は、プリズム層の１態様の拡大断面図を示している。プリズム層１１はベース部１５と鋸歯部１６からなり、鋸歯部１６は紙面に垂直な方向に三角柱を形成するように延在している。出射角度θは、プリズム層１１への光の入射角（通常、シートに対して垂直方向）及びプリズムの角度（ａ，ｂ，ｃ）と関係がある。出射角度θは好ましくは、１５°〜２５°程度であり、最も好ましくは２０°である。このような角度であれば、最も高い操作者視認性及び覗き見防止機能を付与することができるからである。
【００２６】
鋸歯部１６の繰り返し距離は、典型的な観測距離において鋸歯部が人間の目に知覚できないように、十分に小さいことが望ましい。しかし、鋸歯部は、確実に形成できる程度に十分大きくなければならない。鋸歯部１６が小さくなると、プリズム層を製造するための製造手順がより難しくなる。一実施態様における繰り返し距離は、約５μｍ以上〜約２００μｍ以下の範囲にある。より好ましくは、繰り返し距離は３０μｍ〜約８０μｍの範囲にある。最も好ましくは、鋸歯部は約５０μｍの繰り返し距離を有する。
【００２７】
ベース部１５は鋸歯部１６を支持する機能を有する。ベース部１５は機械的な強度を有するのに十分な厚さがあれば十分であり、通常、１０μｍ以上であり、好ましくは５０μｍ〜２００μｍである。
【００２８】
プリズム層は、硬化樹脂、エンボス加工可能な熱可塑性材料、または鋸歯部を形成可能な所望の光学特性を有する他の材料を含み得る。プリズム層は、架橋されたエポキシアクリレートのような硬化樹脂から形成されることが好ましい。プリズム層にはピンホールがないことが好ましい。プリズム層の組成物は、可視光の透過性が高く、擦過に強く、またガス放出が小さいことが好ましい。樹脂は、硬化時および熱と湿度への暴露時、収縮なしに鋸歯形状を保持することが好ましい。
【００２９】
プリズム層に使用するために好ましい架橋されたエポキシアクリレートの１つの例は、ある範囲の重量％を有する次の成分を含むＵＶ硬化可能な組成物、すなわちビスフェノール−Ａエポキシジアクリレート（５５〜８０％）、メチルスチレン（５〜２５％）、アクリル化エポキシ（１〜１０％）、（例えばＬｕｃｉｒｉｎ ＴＰＯ）光開始剤（０．２５〜５％）、およびフルオロ界面活性剤（０．１〜０．３％）である。さらに、組成物は、最高５％の重量％のＩｒｇａｃｕｒｅ１８４のような第２の光開始剤を含んでも、含まなくてもよい。
【００３０】
鋸歯部１６は、ベース部１５と鋸歯部１６を有する工具との間に硬化性樹脂を入れ、紫外線放射の下で組成物を重合し、次にシートを工具から分離するような関連技術において公知の多くの異なる方法によって、形成することができる。
【００３１】
上述のとおり、本発明の覗き見防止シートは、第一ルーバー層、第二ルーバー層及びプリズム層を含み、第一ルーバー層及び第二ルーバー層は好ましくはその片面もしくは両面に保護層を有する。これらの各層は接着層によって接合されることができる。接着剤層は、感圧性接着剤、感熱性接着剤、硬化型接着剤等、通常の接着剤から形成できる。接着剤層の厚さは各層を接合するために十分な厚さを有すればよく、通常、１０〜１００μｍの厚さを有する。
【００３２】
図９〜１１は本発明の覗き見防止シートの幾つかの態様の斜視図を示す。図９（ａ）は第一ルーバー層１２のルーバーの延在方向と第二ルーバー層１３のルーバーの延在方向が互いに直交しており、プリズム層１１のプリズム素子の延在方向が第二ルーバー層１３のルーバーの延在方向とほぼ平行な方向である。また、第一ルーバー層１２及び第二ルーバー層１３のルーバーのルーバー角は９０°である。図９（ｂ）は図９（ａ）と類似のシートであるが、プリズム層１１のプリズム素子の延在方向は第一ルーバー層１２のルーバーの延在方向とほぼ平行である。図１０（ａ）は、図９（ａ）と類似のシートであるが、第二ルーバー１３のルーバー角が９０°を超える角度となっている。このため、ディスプレイ装置の操作者側への指向性がさらに高められる。図１０（ｂ）は、図９（ｂ）と類似のシートであるが、第一ルーバー１２のルーバー角が９０°を超える角度となっている。このため、ディスプレイ装置の操作者側への指向性がさらに高められる。図１１（ａ）は、図１０（ａ）と類似のシートであるが、プリズム層１１が第二ルーバー層側に配置されている。図１１（ｂ）は、図１０（ｂ）と類似のシートであるが、プリズム層１１が第二ルーバー層側に配置されている。このような場合には、プリズム層１１は接着剤層を介して全面を第二ルーバー層１３に接合することができる。
【００３３】
ディスプレイ装置は微細な複数の画素から画像を形成する。このような装置の上に規則正しい模様を重ね合わせたとき、画素が相互に干渉することにより周期的な縞状のパターン、いわゆる、「モアレ縞」ができる場合がある。本発明の覗き見防止シートは、ルーバー層のルーバー、プリズム層のプリズム素子がそれぞれ一定方向に延在する構成となっているので、ディスプレイ装置上の画像にモアレ縞を形成させやすい。これを解消するための１つの方法は、ディスプレイの画素の配列と、第一ルーバー層のルーバー及び第二のルーバーの延在方向を水平及び垂直方向からずらすことである。また、プリズム素子の延在方向も水平及び垂直方向からずらすことが好ましい。図１２は、ルーバー及びプリズム素子の延在方向を示す模式図である。第一ルーバー層のルーバー１９と、第二ルーバー層のルーバー１９’と、プリズム層のプリズム素子（鋸歯部１６）の延在方向はそれぞれディスプレイ装置の水平方向及び垂直方向（すなわち、シートの水平方向及び垂直方向）からずれている。これにより、モアレ縞が発生するのを防止することができる。鋸歯部１６の延在方向とシートの水平方向（すなわち、ディスプレイ装置に設置したときのディスプレイ装置の水平方向）とのなす角（反時計回り）ｘは、好ましくは０°〜１０°、又は、１７０°〜１８０°である。１０°より大きく、１７０°より小さい場合には、シートの光指向性がずれて、斜め後方から覗かれやすくなる。第一ルーバー層のルーバー１９（ディスプレイ装置の表示画面のほぼ水平方向に延在するルーバー）とシートの水平方向とのなす角ｙは、好ましくは５°〜２０°、又は、１６０°〜１７５°である。１７５°より大きく、又は、５°より小さい場合には、モアレ縞を形成しやすくなり、２０°より大きく、１６０°より小さい場合には、斜め後方から覗き見されやすくなる。第二ルーバー層のルーバー１９’（ディスプレイ装置の表示画面のほぼ垂直方向に延在するルーバー）とシートの水平方向とのなす角ｚは、好ましくは７０°〜８５°、又は、９５°〜１１０°である。８５°より大きく、９５°より小さい場合には、モアレ縞を形成しやすくなり、１１０°より大きく、又は、７０°より小さい場合には、斜め後方から覗き見されやすくなる。
【００３４】
モアレ縞を防止するためのもう一つの手段は、覗き見防止シートの表面に凹凸を形成することである。モアレ防止のためには凹凸形状は、算術平均粗さ（Ｒａ）が０．５μｍ以下であり、凹凸の平均間隔（ＲＳｍ）が８０μｍであることが好ましい。なお、算術平均粗さ（Ｒａ）及び凹凸の平均間隔（ＲＳｍ）はＪＩＳ−Ｂ０６０１：１９９４に従って表面粗さ測定器によって測定される値である。凹凸形状は、覗き見防止シートのおもて面に形成しても、裏面に形成してもよい。ただし、凹凸は光の指向性を低下させるので、本発明の覗き見防止シートの操作者視認性及び可視角制限の効果を損なわないように注意して設計すべきである。凸凹により、フィルムの対向面（たとえば、液晶パネル、タッチパネル）との密着を防止することができるという効果もある。
【００３５】
＜ディスプレイ装置＞
本発明の覗き防止シートはディスプレイ装置内に組み込まれていてもよい。本発明の覗き見防止シートが組み込まれたディスプレイ装置としては、無人顧客応対装置（銀行のＡＴＭや、駅の券売機等）が挙げられる。本発明の覗き見防止シートは、ディスプレイ装置の光源よりも、操作者側に近い方（すなわち、光源よりも上側）に配置される。ディスプレイ装置は、典型的には、液晶ディスプレイ（ＬＣＤ）装置であり、バックライト／ＬＣＤセル／本発明の覗き見防止シートの順で配置される。ディスプレイ装置は、タッチパネルを含んでもよく、その場合には、覗き見防止シートの上方にあっても、又は、下方にあってもよい。このように、バックライト／ＬＣＤセル／本発明の覗き見防止シート／タッチパネル、又は、バックライト／ＬＣＤセル／タッチパネル／本発明の覗き見防止シートの順に配置されたものであってよい。さらに、バックライト／本発明の覗き見防止シート／ＬＣＤセル／タッチパネルの順に配置されたものであってもよい。
【実施例】
【００３６】
以下において、実施例を参照しながら、本発明の覗き見防止シートをさらに説明する。
実施例１
複数のルーバーを有するフィルム２枚（１００Ｃ  ０ＵＢ４８（商品名）及び１００ＰＡ  ０ＵＢ４８（商品名）、３Ｍ製）を用意した。これらのフィルムは、平行に並んだ複数のルーバーを含むルーバーフィルムの両面にUV硬化接着剤を介してそれぞれ１枚のポリエチレンテレフタレートフィルム（ＰＥＴ）又は感圧接着剤が積層されたものである（100C 0UB48：ＰＥＴ／UV硬化接着剤／ルーバー／UV硬化接着剤／ＰＥＴ、100PA 0UB48：感圧接着剤／UV硬化接着剤／ルーバー／UV硬化接着剤／ＰＥＴ）。それぞれの厚さはＰＥＴ／UV硬化接着剤／ルーバー／UV硬化接着剤／ＰＥＴ＝１００μｍ／２５μｍ／２５０μｍ／２５μｍ／１００μｍμｍ、感圧接着剤／UV硬化接着剤／ルーバー／UV硬化接着剤／ＰＥＴ＝５０μｍ／２５μｍ／２５０μｍ／２５μｍ／１００μｍである。これらのフィルムを貼り合わせ、第一ルーバー層と第二ルーバー層とを含む積層体を形成した。このとき、第一ルーバー層のルーバーの延在方向と、第二ルーバー層のルーバーの延在方向とが９０°で交差しているように配置した。さらに、この積層体を、その縁部の全周を包囲するように両面感圧接着テープ（４９０５８（商品番号）３Ｍ社製）でプリズムフィルム（ＩＤＦＩＩ２０（商品番号）、３Ｍ社製）に貼り合わせて、図１２に示すような本発明の覗き見防止シートを得た。ルーバー及びプリズム層のプリズム素子の延在方向を図中の角度ｘ、ｙ及びｚで表すと、ｘ＝１７５であり、ｙ＝１０°及びｚ＝１００°であった。上記プリズムフィルムは厚さ０．１３ｍｍのＰＥＴフィルムにプリズム構造体が形成されており、全体としては０．１５ｍｍであり、法線方向から入射した光を２０°曲げて出射するようなフィルムである。
得られた覗き見防止シートを液晶ディスプレイ装置上に配置し、ディスプレイ装置の画面に対する観測角と輝度との関係を、ELDIM社製 EZ CONTRASTによって測定した。結果を図１３及び図１４に示す。
【００３７】
比較例１
覗き見防止シートを配置しないで、実施例１と同様にディスプレイ装置の画面に対する観測角と輝度との関係を測定した。結果を図１３及び図１４に示す。
【００３８】
比較例２
実施例１と同様にシートを形成したが、プリズムフィルムを積層しなかった。このシートを液晶ディスプレイ装置上に配置し、ディスプレイ装置の画面に対する観測角と輝度との関係を測定した。結果を図１３及び図１４に示す。
【００３９】
上述の結果から、本発明の覗き見防止シートにより、観察者の左右方向及び後方からの覗き見だけでなく、前方からの覗き見防止効果を向上することができることが判った。つまり、図４に示すように、ディスプレイ装置が無人顧客応対装置には、犯罪者によって取り付けられたカメラによって暗証番号等の機密データを盗視されることを防止できる。
【図面の簡単な説明】
【００４０】
【図１】本発明の覗き見防止シートを設置していない場合のディスプレイ装置からの画像情報の視認範囲を表す模式図である。
【図２】第一ルーバー層のルーバーの延在方向と、第二ルーバー層のルーバーの延在方向とが交差している、２層のルーバー層を含む光学シートを設置した場合の視認範囲を表す模式図である。
【図３】本発明の覗き見防止シートを設置した場合の視認範囲を表す模式図である。
【図４】盗視カメラが設置された無人顧客応対装置を示す模式図である。
【図５】本発明の覗き見防止シートの１つの態様の断面図である。
【図６】ルーバー層の１態様の断面図を示す。
【図７】第一ルーバー層と第二ルーバー層が交差した積層体の上面図である。
【図８】プリズム層の１態様の拡大断面図である。
【図９】本発明の覗き見防止シートの斜視図である。
【図１０】本発明の覗き見防止シートの斜視図である。
【図１１】本発明の覗き見防止シートの斜視図である。
【図１２】ルーバー及びプリズムの延在方向を示す模式図である。
【図１３】実施例における、ディスプレイ装置の画面に対する観測角と輝度との関係のグラフである。
【図１４】実施例における、ディスプレイ装置の画面に対する観測角と輝度との関係のグラフである。
【符号の説明】
【００４１】
１    覗き見防止シート
１１    プリズム層
１２    第一ルーバー層
１３    第二ルーバー層
１４    接着剤層
１５    ベース部
１６    プリズム素子（鋸歯部）
１７    接着剤層
１８    空隙
１９    ルーバー
１９’    ルーバー
【図１】
2007279424.tif 000003
【図２】
2007279424.tif 000004
【図３】
2007279424.tif 000005
【図４】
2007279424.tif 000006
【図５】
2007279424.tif 000007
【図６】
2007279424.tif 000008
【図７】
2007279424.tif 000009
【図８】
2007279424.tif 000010
【図９】
2007279424.tif 000011
【図１０】
2007279424.tif 000012
【図１１】
2007279424.tif 000013
【図１２】
2007279424.tif 000014
【図１３】
2007279424.tif 000015
【図１４】
2007279424.tif 000016